(57)【特許請求の範囲】
【請求項１】
液状化粧料（Ａ）を収容する容器本体（１）と、該容器本体（１）の口部（１３）を密閉するキャップ（２）と、該キャップ（２）の天井面（２２）に後端が連結された塗布棒（３）と、弾性を有し前記容器本体（１）の口部（１３）に止着され液状化粧料（Ａ）の付着量を適量に払拭するワイパー（５）とを備える液状化粧料容器に於いて、前記塗布棒（３）の先端に止着されるアプリケータ（４）であって、
該アプリケータ（４）は弾性を有し、複数の針状毛（４４）を一体に設けた成形ブラシ部（４２）を有し、
該成形ブラシ部（４２）の針状毛（４４）は、基部（４３）の軸心（Ｂ）と略平行に列をなし、該列は複数列が基部（４３）の周方向に連成して配置され、該列は成形ブラシ部（４２）の軸方向の中央領域（Ｃ）において、毛足の短い短毛列群（４５）と、該短毛列群（４５）よりも毛足の長い長毛列群（４６）を周方向に分けて配置し、該長毛列群（４６）は、成形ブラシ部（４２）の先端（６１）の側において短毛である短毛部位（４９）を構成し、更に該短毛部位（４９）の領域に、前記長毛列群（４６）の列に沿って、長毛列群（４６）の列間に位置する微細塗布列（４０）が設けられているマスカラ用アプリケータ。
【請求項２】
前記微細塗布列（４０）は、前記長毛列群（４６）の短毛部位（４９）の列を挟んで少なくとも１列を設けたことを特徴とする請求項１記載のマスカラ用アプリケータ。
【請求項３】
前記成形ブラシ部（４２）の長毛列群（４６）の周方向に対しての広がりは、前記短毛列群（４５）の周方向に対しての広がりよりも狭い範囲とすることを特徴とする請求項１又は２記載のマスカラ用アプリケータ。
【発明の詳細な説明】
【技術分野】
【０００１】
本発明は、マスカラなどの液状化粧料容器に関する。詳しくは、キャップの天井部分に後端が連結した塗布棒の先端に設けられる、マスカラ液を塗布するアプリケータに関するものである。
【背景技術】
【０００２】
従来、マスカラ用の液状化粧料を塗布する場合、マスカラ用アプリケータには、液状化粧料をまつ毛に塗布する機能、液状化粧料が付着したまつ毛をとかす機能、細部に塗布したり微調整したりする機能などが求められていた。そこで、アプリケータ先端部分の毛の密度を上げて微細塗布しやすくしたり（特許文献１参照）、部分的に毛足を長くしてまつ毛をとかしやすくしたり（特許文献２参照）していた。また近年では、アプリケータ全体をエラストマー樹脂のような弾性を有した樹脂で一体に成形した成形ブラシ（特許文献３参照）が主流になりつつある。この成形ブラシは、金型構造、金型コストの関係で、針状の毛が塗布部の軸線と略平行に並んだ構成が多く利用されている。
【先行技術文献】
【特許文献】
【０００３】
【特許文献１】特開２００７−３０７３１１号公報
【特許文献２】実開平５−８８４１０号公報
【特許文献３】特開２００７−４４５２４号公報
【発明の概要】
【発明が解決しようとする課題】
【０００４】
しかし、成形ブラシは、毛の１本１本を金型に彫り込んで成形するため、毛の配置、密度に機械加工上の制限があった。したがって、上記３種の機能を明確に付加するのは困難であった。特に細部に塗布したり微調整したりする機能の場合、微細塗布に適した毛の密度に増やす必要があるが、現行では大幅に毛の密度を上げることはできなかった。
【課題を解決するための手段】
【０００５】
液状化粧料を収容する容器本体と、該容器本体の口部を密閉するキャップと、該キャップの天井面に後端が連結された塗布棒と、弾性を有し前記容器本体の口部に止着され液状化粧料の付着量を適量に払拭するワイパーとを備える液状化粧料容器に於いて、前記塗布棒の先端に止着されるアプリケータであって、該アプリケータは弾性を有し、複数の針状毛を一体に設けた成形ブラシ部を有し、該成形ブラシ部の針状毛は、基部の軸心と略平行に列をなし、該列は複数列が基部の周方向に連成して配置され、該列は成形ブラシ部の軸方向の中央領域において、毛足の短い短毛列群と、該短毛列群よりも毛足の長い長毛列群を周方向に分けて配置し、該長毛列群は、成形ブラシ部の先端の領域に、前記長毛列群の列に沿って、長毛列群の列間に位置する微細塗布列が設けられている。
【０００６】
前記微細塗布列は、前記長毛列群の短毛部位の列の間に少なくとも１列を設ける。前記成形ブラシ部の長毛列群の周方向に対しての広がりは、短毛列群の周方向に対しての広がりよりも狭い範囲とする。
【発明の効果】
【０００７】
本発明は以上のように、成形ブラシ部の針状毛は、基部の軸心と略平行に列をなし、該列は複数列が基部の周方向に連成して配置され、該列は成形ブラシ部の軸方向の中央領域において、毛足の短い短毛列群と、該短毛列群よりも毛足の長い長毛列群に分けて配置し、該長毛列群は、成形ブラシ部の先端の領域に、前記長毛列群の列に沿って、長毛列群の列間に、短毛部位の周方向の長さとほぼ同じ長さの微細塗布列を配置することによって、短毛部位の針状毛の密度を上げている。そして、毛足の長さによって液状化粧料を塗布する塗布部（短毛列群）と、まつ毛をとかすコーム部（長毛列群の中央部）とを構成し、加えて長毛列群の先端の領域を微細塗布部として、３通りに塗布できる塗布部分を構成している。しかも、毛の密度が必要な微細塗布部に限定して、部分的に針状毛の列（微細塗布列）を増やして針状毛の密度を増加させており、容易に実施できる構成となっている。
【図面の簡単な説明】
【０００８】
【図１】本発明実施例の液状化粧料容器の正面断面図である。
【図２】本発明マスカラ用アプリケータの斜視図である。
【図３】本発明マスカラ用アプリケータの側面図である。
【図４】図３に於けるＣ矢視部断面図である。
【図５】図３に於けるＤ矢視部断面図である。
【図６】本発明マスカラ用アプリケータの微細塗布部の針状毛配置説明図である。
【発明を実施するための形態】
【０００９】
以下、本発明マスカラ用アプリケータについて説明する。先ず、本発明のマスカラ用アプリケータを装着した液状化粧料容器について図１によって説明する。図１は、液状化粧料容器の正面断面図を表す。図において、液状化粧料容器は、マスカラ液などの液状化粧料Ａを収容する筒状の容器本体１と、該容器本体１に螺合閉蓋するキャップ２より構成される。
【００１０】
容器本体１は上部に首部１１を設けている。この首部１１の上端には、口部１３が開口し、首部１１の外周に雄ネジ１２を螺設している。キャップ２は、容器本体１の首部１１に嵌合するようになっている。このキャップ２の内側壁には、容器本体１の首部１１の雄ネジ１２と螺合して容器本体１を閉蓋する雌ネジ２１を螺設している。このキャップ２の天井面２２には、塗布棒３の後端が連結されている。
【００１１】
この塗布棒３は、キャップ２を容器本体１に嵌合する時、容器本体１の口部１３より容器本体１内に挿入される。この塗布棒３の先端には、アプリケータ４を止着している。
【００１２】
このアプリケータ４は、基部４３より針状毛４４が立設した形状をしており、この基部４３の外径は、塗布棒３の外径よりも若干小径になっている。このアプリケータ４は、熱可塑性の樹脂若しくは熱硬化性の樹脂により一体に成形されている。
【００１３】
また、容器本体１の口部１３には、ワイパー５を止着している。このワイパー５は、ゴム、エラストマー樹脂などの軟質素材より成形されている。このワイパー５には、前記塗布棒３及びアプリケータ４が貫通する払拭穴５１を穿設している。この払拭穴５１の内径は、塗布棒３の外径よりも若干小径で、アプリケータ３の基部４３外径よりも若干大径になっており、キャップ２を抜脱した際、塗布棒３に付着した液状化粧料Ａを払拭し、アプリケータ４に付着する液状化粧料Ａを適量に調整するようになっている。また、ワイパー５の上端は、容器本体１の口部１３上端より突出し、容器本体１にキャップ２を嵌合させた際、キャップ２の天井面２２に当接し、容器本体１内を密閉するパッキン５２になっている。
【００１４】
次に、本発明のマスカラ用アプリケータの詳細について図２乃至図６により説明する。図２は、本発明のマスカラ用アプリケータの斜視図で、図３は側面図である。アプリケータ４は、前述した基部４３と針状毛４４とから成る成形ブラシ部４２と、塗布棒３に連結する連結部４１とより成っており、熱可塑性の樹脂若しくは熱硬化性の樹脂により一体に成形されている。
【００１５】
この連結部４１は、前記塗布棒３の先端に穿設した連結穴３１に挿入、カシメ固定して、塗布棒３の先端にアプリケータ４を固定している。成形ブラシ部４２の基部４３は、前記連結部４１と同軸で、塗布棒３の先端より突出している。この基部４３より針状毛４４が立設している。
【００１６】
この針状毛４４は、成形する金型の関係で、軸心Ｂと略平行に列を成している。この針状毛４４の列は、基部４３の周方向にわたって、かつ基部４３の軸方向にわたって配置されている。この針状毛４４の列数は、全体で４列乃至３２列の範囲で設けている。また、列中の針状毛４４の基本的な間隔（毛と毛の間の距離、図６のＧ）は、０．０５ｍｍ乃至１．０ｍｍの範囲になっている。
【００１７】
この針状毛４４の列は、図４の側面図に示したように、成形ブラシ部４２の軸方向の中央領域（図３に於けるＣ矢視部）において、毛足の短い短毛列群４５と、毛足の長い長毛列群４６に分けて設けている。また、長毛列群４６は横から見ると、図３に示したように、成形ブラシ部４２の中央領域（Ｃ矢視部）が最も毛足が長く、その両端部分が最も毛足が短いアーチ状をしている。このうち、先端６１領域（図３に於けるＤ矢視部）の短毛部位４９の長さは、１．０ｍｍ乃至１０．０ｍｍ程度である。そして短毛列群４５は、液状化粧料Ａをまつ毛に塗布する塗布部４７となり、長毛列群４６の短毛部位４９は、まつ毛の細部に塗布する微細塗布部４８となっている。更に長毛列群４６の中央領域（毛足の長い部分、Ｃ矢視部）は、液状化粧料Ａが付着したまつ毛をとかすコーム部６２となっている。
【００１８】
図４にあるように、この長毛列群４６の周方向に対しての広がりの角度（長毛列群４６の両端の針状毛４４の間の角度）Ｅは、短毛列群４５の周方向に対しての広がりの角度（短毛列群４５の両端の針状毛４４の間の角度）Ｆよりも小さくなっている。更に、長毛列群４６は、中央領域（Ｃ矢視部）がまつ毛をとかすコーム部６２となるため、１列では充分なコーミング（まつ毛をとかす）効果を期待できず、その機能を発揮するには少なくとも２列が必要となる。しかも、針状毛４４にまつ毛が絡む様、それぞれの列の針状毛４４を千鳥状に配置する必要がある。
【００１９】
次に、微細塗布部４８について図によって説明する。図５は微細塗布部４８（図３に於けるＤ矢視部）の断面図であり、図６は微細塗布部４８の針状毛４４及びその列の配置を説明した図である。長毛列群４６の短毛部位４９の領域には、列の間に微細塗布列４０が増設されている。この微細塗布列４０は、長毛列群４６の間に、短毛部位４９の領域の長さとほぼ同じ長さで設けられている。この微細塗布列４０の針状毛４４の長さは、１．０ｍｍ乃至１０．0ｍｍ程度である。また、この微細塗布列４０の列数は、１列以上である。その結果、微細塗布部４８の針状毛４４の密度が他所よりも増加し、液状化粧料Ａの保持量、微細塗布性が向上する。
【実施例１】
【００２０】
次に、本発明のマスカラ用アプリケータを実施する場合について説明する。まず、本発明のマスカラ用アプリケータの素材であるが、熱可塑性樹脂、熱硬化性エラストマー樹脂を用いることが望ましい。この熱可塑性樹脂としては、具体的に、ポリエチレン、ポリプロピレン、ポリスチレン、ポリエチレンテレフタレート、ポリブチレンテレフタレート、ポリカーボネート、ポリアセテートなどの樹脂、更には、エチレン系、オレフィン系、塩ビ系、ウレタン系、アミド系などの熱可塑性エラストマー樹脂を用いることができる。また、熱可塑性エラストマーとしては、具体的に、ウレタンゴム、シリコンゴム、フッ素ゴム、ニトリル系ゴム、クロロプレン系ゴム、ポリブタジエン系ゴムなどの合成ゴムを用いることができる。
【００２１】
成形ブラシ部４２の基部４３に設けられた針状毛４４の列は、４列乃至３２列程度と述べたが、最適では図４に示したように１６列程度である。この針状毛４４の列は、基部４３の軸心Ｂ方向に並んでいればよく、必ずしも直線状である必要も、軸心Ｂと平行である必要も、列同士が平行に並ぶ必要もない。
【００２２】
また、列中の針状毛４４の基本的な間隔（毛と毛の間の長さ、図６のＧ）は、０．０５ｍｍ乃至１．０ｍｍと述べたが、最適では０．５ｍｍ程度である。また、隣り合った列の針状毛４４は、図６に示したように、千鳥状に交互に配列し、万遍無く針状毛４４が配置され、針状毛４４が重ならないようにしている。そのため、必要に応じて列中の針状毛４４の間隔を変え調整する（図６のＧ’）。
【００２３】
針状毛４４の長さであるが、短毛列群４５中の針状毛４４の長さは、０．５ｍｍ乃至３．０ｍｍ、最適では、１．０ｍｍ乃至２．２ｍｍ程度である。長毛列群４６中の針状毛４４の長さは、最も長い領域（図３に於けるＣ矢視部）で、１．０ｍｍ乃至５．０ｍｍ、最適では、２．０ｍｍ乃至４．０ｍｍ程度である。長毛列群４６中の短毛部位４９の針状毛４４の長さは、０．５ｍｍ乃至４．０ｍｍ、最適では、１．０ｍｍ乃至３．０ｍｍ程度である。また、微細塗布列４０の針状毛４４の長さは、０．５ｍｍ乃至４．０ｍｍ、最適では、１．０ｍｍ乃至３．０ｍｍ程度である。なお、長毛列群４６中の短毛部位４９の針状毛４４の長さは、短毛列群４５の針状毛４４の長さに制約を受けず、短毛列群４５の針状毛４４の長さよりも短くても、長くても良い。同様に、微細塗布列４０の針状毛４４の長さは、短毛列群４５や短毛部位４９の針状毛４４の長さに制約を受けない。
【００２４】
なお、短毛列群４５、長毛列群４６、短毛部位４９及び微細塗布列４０に於いて、各列群、それぞれの列、及びそれぞれの領域は、針状毛４４の毛の長さを一致させる必要もない。例えば、図４及び図５に示したように、各グループ間で針状毛４４の長さを違えることによって、同じ長さを配置した場合の円弧形状と異なる円弧形状にすることができ、針状毛４４のコシなどの塗布感、及び液状化粧料Ａの液含み量などが向上する。
【００２５】
なお、長毛列群４６と短毛列群４５中の針状毛４４の長さは、明確に区別しても良く、逆に図４に示したように短毛列群４５の、長毛列群４６との接した部分の針状毛４４の長さを徐々に長くし、短毛列群４５と長毛列群４６の間に段差を無くす事もできる。この場合、長毛列群４６と短毛列群４５の区別が不明瞭となるが、その境を明確する必要がなく、図４の断面図に示したように、成形ブラシ部のほぼ中央部分で、およそ毛の長さがモヒカン状になった部分が長毛列群４６と考えればよい。
【００２６】
また、前述の針状毛４４の列を全周に最適数の１６列設けた場合には、長毛列群４６を５列、短毛列群４５を残り１１列にする。そして、図４に示したように、針状毛４４の列（１６列）を基部４３の周方向に均等に配設した場合には、針状毛４４の列の周方向に対しての角度間隔は２２．５°となる。更に、全１６列中の長毛列群４６と短毛列群４５の列数を、前述のようにそれぞれ５列及び１１列にした場合には、長毛列群４６の周方向に対しての広がりの角度Ｅは９０°、短毛列群４５の周方向に対しての広がりの角度Ｆは２２５°となる。上記では、針状毛４４の列を均等配置した場合を説明したが、必ずしも列を均等に配置する必要もない。
【００２７】
次に、微細塗布部４８の実施例について説明する。微細塗布列４０は、長毛列群４６の短毛部位４９に設けるのであるが、図５及び図６に示したように、長毛列群４６の列の間に配置する。図では、２本の微細塗布列４０を中央の長毛列群４６の列の両側に配置している。この本数の設定は自由である。また、微細塗布部４８及び微細塗布列４０の長さは、それぞれ１．０ｍｍ乃至１０ｍｍ程度であると述べたが、最適では、それぞれ３．０ｍｍ乃至７．０ｍｍ程度である。しかし、微細塗布部４８と微細塗布列４０の長さを一致させる必要もない。
【００２８】
隣り合った列の針状毛４４は、千鳥状に交互に配列し、万遍無く針状毛４４を配置すると述べたが、図６に示したように、微細塗布列４０が途切れた後に、微細塗布列４０に隣接した列（長毛列群４６の一部）の針状毛４４の間隔を変え（Ｇ〜Ｇ’〜Ｇ）、長毛列群４６中の針状毛４４の千鳥配列を維持している。
【００２９】
微細塗布部４８の最小構成は、前述したように、長毛列群４６が２列に対して、微細塗布列４０が１列である。なお、微細塗布列４０が２列以上の場合、長毛列群４６の列と列の間に微細塗布部４０を１列ずつ配置するのが望ましい。また、長毛列群４６の列数よりも微細塗布列４０の列数のほうが少ない場合には、微細塗布列４０を短毛部位４９の中央に合わせて左右対称に配置する必要もなく、短毛部位４９の一方に片寄って配置しても良い。つまり、長毛列群４６の短毛部位４９の全ての列を使用して微細塗布部４８を構成する必要もなく、部分的に一部の列を利用して微細塗布部４８を設けることも可能である。
【符号の説明】
【００３０】
１      容器本体
２      キャップ
３      塗布棒
４      アプリケータ
５      ワイパー
１１      首部
１２      雄ネジ
１３      口部
２１      雌ネジ
２２      天井面
３１      連結穴
４０      微細塗布列
４１      連結部
４２      成形ブラシ部
４３      基部
４４      針状毛
４５      短毛列群
４６      長毛列群
４７      塗布部
４８      微細塗布部
４９      短毛部位
５１      払拭穴
５２      パッキン
６１      先端
６２      コーム部
Ａ      液状化粧料
Ｂ      軸心
Ｃ      成形ブラシ部の中央部
Ｄ      成形ブラシ部の先端部
Ｅ      長毛列群の広がりの角度
Ｆ      短毛列群の広がりの角度
Ｇ      針状毛の間隔
【図１】
0006351167.tif 000002
【図２】
0006351167.tif 000003
【図３】
0006351167.tif 000004
【図４】
0006351167.tif 000005
【図５】
0006351167.tif 000006
【図６】
0006351167.tif 000007